(57)【要約】      （修正有）【課題】空圧によって便器座板の前部の角度を調節して傾けることにより、円滑な排便が可能な姿勢を取るようにして便秘などを予防し、使用者の体形に合わせて角度を多様に調節することができて使用が便利な角度調節便器シートを提供する。【解決手段】角度調節便器シートは、洋便器の上部に装着される下敷板１００と、一端が下敷板１００の一端に回転可能に装着される便器座板２００と、下敷板１００と便器座板２００の間に装着され、空圧によって高さ方向に圧縮又は膨張されて便器座板２００の角度を調節する第１高さ調節手段３００とを含む。【選択図】図１
0003224558.tif 000002
【実用新案登録請求の範囲】
【請求項１】
洋便器の上部に装着される下敷板（１００）と、
一端が前記下敷板（１００）の一端に回転可能に装着される便器座板（２００）と、
前記下敷板（１００）と前記便器座板（２００）の間に装着され、空圧によって高さ方向に圧縮又は膨張されて前記便器座板（２００）の角度を調節し、ジャバラ形態に上下に圧縮又は膨張される管であり、側部に空気が流動する開放孔（３１１）が形成された空気ポンプ（３１０）、前記空気ポンプ（３１０）の内部に装着され、前記空気ポンプ（３１０）が高さ方向に膨張するように支持する第１弾性部材（３２０）、及び前記開放孔（３１１）に装着され、前記空気ポンプ（３１０）の膨張時、前記空気ポンプ（３１０）の内部に空気が流入するように開放し、前記空気ポンプ（３１０）の圧縮時に閉塞し、空気が移動する移動通路（３２１ｃ）が形成された本体（３３１）、前記移動通路（３２１ｃ）に空気の移動方向に往復移動可能に装着され、前記空気ポンプ（３１０）の圧縮時、空気が外部に排出される方向に移動して前記移動通路（３２１ｃ）を遮断する遮断部材（３３２）、前記空気ポンプ（３１０）の圧縮時、空気が外部に排出される方向に前記遮断部材（３３２）を弾性支持する第２弾性部材（３３３）からなる開閉バルブ（３３０）からなる第１高さ調節手段（３００）と、を含むことを特徴とする、角度調節便器シート。
【請求項２】
前記便器座板（２００）の下端には第１ヒンジ結合部（１２０）が突設され、
前記空気ポンプ（３１０）の上端には、前記第１ヒンジ結合部（１２０）と回転可能に連結される第２ヒンジ結合部（２１０）が備えられることを特徴とする、請求項１に記載の角度調節便器シート。
【請求項３】
前記便器座板（２００）が装着された洋便器（１０）の前方下端に装着され、前記便器座板（２００）に着席した使用者の脚を支持する脚支持台（４００）をさらに含み、
前記脚支持台（４００）は、床に固定される固定部（４１０）、前記固定部（４１０）の上部に上下に移動可能に装着される移動部（４２０）及び前記固定部（４１０）と前記移動部（４２０）の間に配置される第２高さ調節手段（４３０）を備えることを特徴とする、請求項１に記載の角度調節便器シート。
【考案の詳細な説明】
【技術分野】
【０００１】
本考案は角度調節便器シートに係り、特に便器シートの角度を調節して排便時にお尻の高さが膝より低くなるようにして容易に排便できるようにする角度調節便器シートに関する。
【背景技術】
【０００２】
多くの現代人が経験している便秘は概して大便をする間隔が長い場合を言うが、大便が余りにも固まって大便をしにくいか、大便量が余りにも少ない場合、大便をしてからもさっぱりしない場合、浣腸薬又は便秘薬を用いることによってのみ大便をすることができる場合などを含む。医学的には、１週間に３回以下の排便、大便量が３０ｇ以下の場合、大便をしてからもさっぱりしないか何度も大便をしたい感じがする場合を便秘と言う。
【０００３】
短期間の便秘は別に問題にならないが、晩成になれば、腹部膨満感、腹痛、食欲減退、頭痛、皮膚発疹、肩凝りなどの全身症状が発生し、痔核や裂肛のような他の肛門疾患が発生するか、場内細菌の異常増殖によって大膓癌に発展することもある。
【０００４】
直腸型便秘は排便姿勢に関連がある。現代人が使用する洋便器は西洋人が使っていた高さと構造をそのまま持ちこんで使うものであるから、西洋人より背が小さくて体躯も小さい東洋人は、洋便器に着席したとき、大便がたいへん出にくい屈曲姿勢になる。このような曲がっている姿勢によって大便がさっぱり出なくなり、大便が細く、お腹に力を入れるか、お腹をもむかする癖がつく。
【０００５】
お腹に力を入れれば、お腹の筋肉と骨盤の筋肉が同じ神経系によって連結されているから、むしろ肛門を窄めた状態で大便が出る矛盾的な結果が発生し、よってさっぱり大便をするためにもっと大きな力を肛門に入れ、頻繁に大きな力がお腹に入れられて直腸が延び、便秘が悪化する悪循環を経験することになる。
【０００６】
在来式トイレで大便をするときは、腰が真っ直ぐに伸ばされ、骨盤が後に出て肛門がよく広がり、骨盤筋肉が伸ばされる姿勢になって医学的にとても大便をしやすい姿勢になるということが知られている。
【０００７】
それで、韓国公開特許第１０−２００７−０１２０４７８号公報の“快便のための洋便器”、韓国公開特許第１０−２００５−０１２０４４９号公報の“円滑な排便を誘導する便器シート”などは、洋便器に着席するとき、在来式トイレと同様な排便姿勢となるように座台（便器シート）の前方を、太ももを押し上げるように、後方より高く突出するようにしている。
【０００８】
このように、従来技術では太ももを押し上げて在来式トイレでの排便姿勢となるようにしているが、人の体形を考慮していないため、体形が合わない人にはちょっと不便な問題点がある。すなわち、背が高い人と低い人、あるいは痩せている人と太っている人は体形が互いに異なるため、不便なしに在来式トイレでの排便姿勢を取るようにする太ももの位置が互いに違う。
【０００９】
したがって、座台の前方を後方より高く突出させるとともにその突出高は人によって少しずつ違うようにする必要があるが、従来技術では座台の前方の突出高が決まっているため、特定体形以外の体形の人にはちょっと不便さがある。
【先行技術文献】
【特許文献】
【００１０】
【特許文献１】韓国公開特許第１０−２００７−０１２０４７８号公報
【特許文献２】韓国公開特許第１０−２００５−０１２０４４９号公報
【考案の概要】
【考案が解決しようとする課題】
【００１１】
本考案は前述した問題点を解決するためになされたもので、空圧によって便器座板の前部の角度を調節して傾けることにより、円滑に排便可能な姿勢を取ることにより、便秘などを予防し、使用者の体形に合わせて角度を多様に調節することができるようにして、使用が便利な角度調節便器シートを提供することにその目的がある。
【課題を解決するための手段】
【００１２】
前記目的を達成するために、本考案の角度調節便器シートは、洋便器の上部に装着される下敷板と、一端が前記下敷板の一端に回転可能に装着される便器座板と、前記下敷板と前記便器座板の間に装着され、空圧によって高さ方向に圧縮又は膨張されて前記便器座板の角度を調節する第１高さ調節手段とを含む。
【００１３】
前記第１高さ調節手段は、ジャバラ形態に上下に圧縮又は膨張される管であり、側部に空気が流動する開放孔が形成された空気ポンプと、前記空気ポンプの内部に装着され、前記空気ポンプが高さ方向に膨張するように支持する第１弾性部材と、前記開放孔に装着され、前記空気ポンプの膨張時、前記空気ポンプの内部に空気が流入するように開放し、前記空気ポンプの圧縮時に遮断される開閉バルブとを含む。
【００１４】
前記便器座板の下端には第１ヒンジ結合部が突設され、前記空気ポンプの上端には前記第１ヒンジ結合部と回転可能に連結される第２ヒンジ結合部が備えられる。
【００１５】
前記開閉バルブは、空気が移動する移動通路が形成された本体と、前記移動通路に空気の移動方向に往復移動可能に装着され、前記空気ポンプの圧縮時、空気が外部に排出される方向に移動して前記移動通路を遮断する遮断部材と、前記空気ポンプの圧縮時、空気が外部に排出される方向に前記遮断部材を弾性支持する第２弾性部材とを含む。
【００１６】
前記便器座板が装着された洋便器の前方下端に装着され、前記便器座板に着席した使用者の脚を支持する脚支持台をさらに含み、前記脚支持台は、床に固定される固定部、前記固定部の上部に上下に移動可能に装着される移動部、及び前記固定部と前記移動部の間に配置される第２高さ調節手段を備える。
【考案の効果】
【００１７】
以上で説明したような本考案の角度調節便器シートは次のような効果がある。
【００１８】
空圧によって便器座板の前部の角度を調節して傾けることにより、円滑な排便が可能な姿勢を取るようにして、便秘などを予防し、使用者の体形に合わせて角度を多様に調節することができるようにして、使用が便利になる効果がある。
【００１９】
また、前記便器シートが空圧による空気ポンプによって支持されるので、着席時にクッション感を与えることができ、楽に座ることができる効果がある。
【００２０】
前記滑り防止部は表面に多数のエンボス突起が形成された部分であり、前記便器座板が傾いた状態で使用者が着席したとき、後方に滑ることを沮止する効果がある。
【図面の簡単な説明】
【００２１】
【図１】本考案の実施例による角度調節便器シートの斜視図である。
【図２】本考案の実施例による角度調節便器シートの分解斜視図である。
【図３】本考案の実施例による角度調節便器シートの断面図である。
【図４】本考案の実施例による角度調節便器シートの角度を調節する状態を示した断面図である。
【図５】本考案の実施例による角度調節便器シートの開閉バルブが閉じた状態を示した断面図である。
【図６】本考案の実施例による角度調節便器シートの開閉バルブが開いた状態を示した断面図である。
【図７】本考案の他の実施例による角度調節便器シートが取り付けられた状態を示した断面構造図である。
【考案を実施するための形態】
【００２２】
図１は本考案の実施例による角度調節便器シートの斜視図、図２は本考案の実施例による角度調節便器シートの分解斜視図、図３は本考案の実施例による角度調節便器シートの断面図、図４は本考案の実施例による角度調節便器シートの角度を調節する状態を示した断面図、図５は本考案の実施例による角度調節便器シートの開閉バルブが閉じた状態を示した断面図、図６は本考案の実施例による角度調節便器シートの開閉バルブが開いた状態を示した断面図、図７は本考案の他の実施例による角度調節便器シートが取り付けられた状態を示した断面構造図である。
【００２３】
図１〜６に示したように、本考案の実施例による角度調節便器シートは、下敷板１００、便器座板２００、及び第１高さ調節手段３００を含んでなる。
【００２４】
前記下敷板１００は洋便器の上部、すなわち従来の便器カバーが装着される便器座板２００部分に装着され、従来の便器カバーと同様に、一端にヒンジ部１１０が備えられることで、上げたり下げたりすることができるように構成される。
【００２５】
前記下敷板１００の素材は、腐食性が低く、後述する前記便器座板２００と前記第１高さ調節手段３００を支持しなければならないので、強度が高くて堅い素材、具体的にＰＰ（ポリプロピレン）からなる。
【００２６】
また、前記下敷板１００の一端付近には、後述する前記便器座板２００とヒンジ結合される第１ヒンジ結合部１２０が形成される。
【００２７】
前記第１ヒンジ結合部１２０は、前記下敷板１００の一端、すなわち後部付近に形成され、上方に突設され、２個からなって左右に離隔して配置される。
【００２８】
一方、前記便器座板２００は前記下敷板１００と同一のＰＰ（ポリプロピレン）素材からなり、従来の便器座板２００と同様に楕円のリング形に形成される。
【００２９】
また、前記便器座板２００は上方に膨らむように形成され、下端が開放した形態に形成される。
【００３０】
このような前記便器座板２００は、一端、すなわち後部付近に第２ヒンジ結合部２１０が突設される。
【００３１】
前記第２ヒンジ結合部２１０は下方に突設され、前記第１ヒンジ結合部１２０と同様に、２個からなり、左右に離隔して配置される。
【００３２】
また、前記便器座板２００の上部には滑り防止部２２０が備えられる。
【００３３】
前記滑り防止部２２０は表面に多数のエンボス突起が形成された部分であり、前記便器座板２００が傾いた状態で使用者が着席したとき、後方に滑ることを沮止する効果がある。
【００３４】
また、前記便器座板２００の他端、すなわち前部付近には第３ヒンジ結合部２３０が下方に突設される。
【００３５】
前記第３ヒンジ結合部２３０は後述する前記第１高さ調節手段３００とヒンジ結合される。
【００３６】
一方、前記第１高さ調節手段３００は前記下敷板１００と前記便器座板２００との間に装着され、空圧によって高さ方向に圧縮又は膨張して前記便器座板２００の角度を調節するものであり、具体的に空気ポンプ３１０、第１弾性部材３２０及び開閉バルブ３３０からなる。
【００３７】
前記空気ポンプ３１０はジャバラ形態の円筒状管であり、下端には空気が吸入又は排出される開放孔３１１が形成され、内部に注入される空気量によって上下方向に圧縮又は膨張される。
【００３８】
このような前記空気ポンプ３１０は２個からなり、前記下敷板１００の前部付近に左右に離隔して配置され、下端が前記下敷板１００に固定装着される。
【００３９】
また、前記空気ポンプ３１０の下端には内部と連結される開放孔３１１が形成され、上端には、前記第３ヒンジ結合部２３０と回転可能にヒンジ結合される第４ヒンジ結合部３１２が備えられる。
【００４０】
前記第１弾性部材３２０は円筒状の圧縮コイルスプリングからなり、前記空気ポンプ３１０の内部に上下方向に圧縮及び膨張可能に配置される。
【００４１】
このような前記第１弾性部材３２０は前記空気ポンプ３１０を膨張する方向に支持するようになり、無負荷状態で前記開放孔３１１が開放したとき、前記空気ポンプ３１０が自動で膨張するようになる。
【００４２】
一方、前記開閉バルブ３３０は前記開放孔３１１に装着されて前記開放孔３１１を開閉するものであり、具体的に本体３３１、遮断部材３３２及び第２弾性部材３３３からなる。
【００４３】
前記本体３３１は円筒状に形成され、一端には第１開閉孔３２１ａが形成され、他端には第２開閉孔３２１ｂが形成され、その中間には前記第１開閉孔３２１ａと前記第２開閉孔３２１ｂを連結する移動通路３２１ｃが形成される。
【００４４】
前記遮断部材３３２は、一端が前記第１開閉孔３２１ａに配置される遮断部３３２ａ、前記第２開閉孔３２１ｂに配置されるボタン部３３２ｂ、及び前記遮断部３３２ａと前記ボタン部３３２ｂを連結するガイド部３３２ｃからなる。
【００４５】
前記ガイド部３３２ｃは円筒軸形状に形成され、前記本体３３１の内部に挿入されて前記本体３３１の長手方向に往復移動可能にガイドされる。
【００４６】
前記第２弾性部材３３３は前記本体３３１の他端と前記ボタン部３３２ｂの間に配置され、前記遮断部材３３２を前記開放孔３１１の反対方向、すなわち空気が排出される方向に押圧するようになる。
【００４７】
ここで、前記第２弾性部材３３３は前記第１弾性部材３２０より高い弾性力を有し、無負荷状態では前記第２弾性部材３３３の弾性復元力によって前記遮断部３３２ａが前記移動通路３２１ｃを遮断し、前記空気ポンプ３１０の高さが維持される。
【００４８】
前記構成を有する本考案の実施例による角度調節便器シートは、図３及び図５に示したように、無負荷状態、すなわち前記便器座板２００に使用者が着席していない状態では、前記第２弾性部材３３３の弾性復元力によって前記遮断部３３２ａが前記移動通路３２１ｃを遮断し、前記空気ポンプ３１０の高さが一定に維持される。
【００４９】
また、この状態で使用者が前記便器座板２００に着席しても、前記空気ポンプ３１０の圧力が高くなるにつれて前記遮断部材３３２に前記開放孔３１１の反対方向に力が加わり、前記移動通路３２１ｃを遮断することにより、前記空気ポンプ３１０が圧縮されない。
【００５０】
また、図４に示したように、前記便器座板２００の他端、すなわち前部の角度を高めるためには、前記便器座板２００に着席していない状態で前記ボタン部３３２ｂを押圧する。このとき、前記移動通路３２１ｃが開放し、前記第１弾性部材３２０の弾性復元力によって前記空気ポンプ３１０が膨張して高さが高くなり、前記便器座板２００は一端を中心に時計方向に回転することにより傾斜角度が調節される。
【００５１】
反対に、前記便器座板２００に着席している状態で前記ボタン部３３２ｂを押圧すれば、図６に示したように、前記移動通路３２１ｃが開放して前記空気ポンプ３１０が圧縮されるにつれて前記便器座板２００の前部の高さが低くなり、傾斜角度が再び小さくなる。
【００５２】
このように、本考案の実施例による角度調節便器シートは、空圧によって便器座板２００の前部の傾斜角度を調節し、円滑な排便が可能な姿勢を取るようにして便秘などを予防し、使用者の体形に合わせて角度を多様に調節することができ、便利な使用ができるようにする効果がある。
【００５３】
また、前記便器シートが空圧による前記空気ポンプ３１０によって支持されることにより、着席時にクッション感を与えることができ、楽に座ることができる効果がある。
【００５４】
一方、場合によって、図７に示したように、前記便器座板２００の前方には、着席者の脚を支持する脚支持台４００が備えられることができる。
【００５５】
前記脚支持台４００は前記便器座板２００が装着された洋便器１０の前方床に固定的に設置され、前記便器座板２００に着席した使用者の脚が載せられ、膝の高さを前記便器座板２００の高さより高くなるように支持する。
【００５６】
より具体的に、前記脚支持台４００は、便器の下端に固定される固定部４１０、前記固定部４１０の上部に上下移動可能に装着される移動部４２０、及び前記固定部４１０と前記移動部４２０の間に配置される第２高さ調節手段４３０からなる。
【００５７】
ここで、前記第２高さ調節手段４３０は空圧によって上下方向に膨張及び圧縮される空気ポンプであるか、あるいはモーターの回転力を上下方向の移動力に転換させる平ギアとラックギアからなることができる。
【００５８】
このように、前記便器座板２００が取り付けられる洋便器１０の前方下端に装着されて着席者の脚を支持する前記脚支持台４００が備えられることにより、膝の高さをお尻より高くして円滑な排便が可能な姿勢を取ることができ、これにより容易な排便ができる効果がある。
【００５９】
本考案は以上で説明したものに限定されず、以下の請求範囲の思想及び領域を逸脱しない範囲内で当業者によって多くの形態に変形実施可能であり、よってこのような変形は本考案の領域内にあるものに解釈しなければならない。
【符号の説明】
【００６０】
１００    下敷板
１１０    ヒンジ部
１２０    第１ヒンジ結合部
２００    便器座板
２１０    第２ヒンジ結合部
２２０    滑り防止部
２３０    第３ヒンジ結合部
３００    第１高さ調節手段
３１０    空気ポンプ
３１１    開放孔
３１２    第４ヒンジ結合部
３２０    第１弾性部材
３３０    開閉バルブ
３３１    本体
３２１ａ  第１開閉孔
３２１ｂ  第２開閉孔
３２１ｃ  移動通路
３３２    遮断部材
３３２ａ  遮断部
３３２ｂ  ボタン部
３３２ｃ  ガイド部
３３３    第２弾性部材
【図１】
0003224558.tif 000003
【図２】
0003224558.tif 000004
【図３】
0003224558.tif 000005
【図４】
0003224558.tif 000006
【図５】
0003224558.tif 000007
【図６】
0003224558.tif 000008
【図７】
0003224558.tif 000009